(57)【特許請求の範囲】
【請求項１】
表示部と、画像データを記憶する記憶部とを有する、画像データの印刷の注文を受け付ける画像出力受付端末であって、
前記表示部に、課金画面として前記画像データの印刷の注文に係るレシートを発行するか否かを選択可能に表示するとともに、所定の条件で印刷処理の実行を指示する課金手段を具備し、
前記課金手段は、前記レシートを発行するか否かの選択がされず、かつ前記所定の条件となった場合に、前記表示部の大部分の領域に、レシート発行確認画面として、前記レシートを発行するか否かを選択可能に表示するとともに、前記レシートを発行するか否かが選択された上での印刷処理の実行を選択可能に表示し、
前記課金画面には、前記レシートを発行することを選択するための第１の領域と、前記レシートを発行しないことを選択するための第２の領域と、その他の領域とが表示され、前記第１の領域のサイズと前記第２の領域のサイズは、前記その他の領域のサイズと同程度か小さく、
前記レシート発行確認画面には、前記レシートを発行することを選択するための第１の領域と、前記レシートを発行しないことを選択するための第２の領域と、印刷処理への移行を選択するための領域が表示され、前記第１の領域のサイズは当該レシート発行確認画面を２分した際の一方側の大部分の領域と同程度であり、前記第２の領域のサイズは前記２分した際の他方側の大部分の領域と同程度であり、
前記所定の条件は、前記画像データの印刷の注文に係る合計料金の画像出力受付端末への入金であることを特徴とする画像出力受付端末。
【請求項２】
前記課金画面において、前記レシートの発行の選択に応じて、前記第１の領域もしくは前記第２の領域が強調表示されることを特徴とする請求項１に記載の画像出力受付端末。
【請求項３】
前記レシート発行確認画面において、前記レシートの発行の選択に応じて、前記第１の領域もしくは前記第２の領域が強調表示されることを特徴とする請求項１または請求項２に記載の画像出力受付端末。
【請求項４】
表示部と、画像データを記憶する記憶部とを有する、画像データの印刷の注文を受け付ける画像出力受付端末における画像出力受付方法であって、
前記表示部に、課金画面として前記画像データの印刷の注文に係るレシートを発行するか否かを選択可能に表示するとともに、所定の条件で印刷処理の実行を指示する課金ステップを含み、
前記課金ステップでは、前記レシートを発行するか否かの選択がされず、かつ前記所定の条件となった場合に、前記表示部の大部分の領域に、レシート発行確認画面として、前記レシートを発行するか否かを選択可能に表示するとともに、前記レシートを発行するか否かが選択された上での印刷処理の実行を選択可能に表示し、
前記課金画面には、前記レシートを発行することを選択するための第１の領域と、前記レシートを発行しないことを選択するための第２の領域と、その他の領域とが表示され、前記第１の領域のサイズと前記第２の領域のサイズは、前記その他の領域のサイズと同程度か小さく、
前記レシート発行確認画面には、前記レシートを発行することを選択するための第１の領域と、前記レシートを発行しないことを選択するための第２の領域と、印刷処理への移行を選択するための領域が表示され、前記第１の領域のサイズは当該レシート発行確認画面を２分した際の一方側の大部分の領域と同程度であり、前記第２の領域のサイズは前記２分した際の他方側の大部分の領域と同程度であり、
前記所定の条件は、前記画像データの印刷の注文に係る合計料金の画像出力受付端末への入金であることを特徴とする画像出力受付方法。
【請求項５】
コンピュータを請求項１から請求項３のいずれか１項に記載の画像出力受付端末として機能させるためのプログラム。
【請求項６】
コンピュータを請求項１から請求項３のいずれか１項に記載の画像出力受付端末として機能させるためのプログラムを記憶した記憶媒体。
【発明の詳細な説明】
【技術分野】
【０００１】
本発明は、利用者が所有する記憶媒体や携帯端末などに記憶されている画像データの印刷を受け付ける画像出力受付端末等に関する。
【背景技術】
【０００２】
近年、利用者が所有する記憶媒体に記憶されている画像データの印刷を行う画像出力受付端末が広く普及している。利用者は、画像出力受付端末を操作することにより、デジタルカメラ等で撮影した画像を印刷することができる。このような画像出力受付端末の例として、特許文献１に記載の受付装置が挙げられる。
【０００３】
このような画像出力受付端末では、課金画面を提示し、画像データの印刷を注文したユーザに対し注文内容に応じた入金を促すものがある。このような画面の例が図１３に示す課金画面１０００である。図１３では、入金を促すガイダンスが表示されるとともに、ユーザの注文に応じた合計金額が、合計金額表示部１００１に表示される。また、ユーザが入金を行なうと、その入金額と、入金額が上記の合計金額を超えた場合には、その差額であるおつりの額が投入金額表示部１００２に表示される。この入金額が合計金額以上になると印刷が開始され、画面は印刷実行画面（不図示）へと移行する。
【０００４】
１００３はレシート発行ボタンであり、上記の印刷実行までの間、レシート発行ボタン１００３を選択することにより、プリントに係る精算情報を記載したレシートを発行することができる。
【先行技術文献】
【特許文献】
【０００５】
【特許文献１】特開２０１０−１２８５７６号公報
【発明の概要】
【発明が解決しようとする課題】
【０００６】
しかしながら、従来の課金画面による課金処理では、ユーザがレシート発行ボタンを選択していないのにも係らず、ユーザがレシート発行ボタンを選択したと勘違いする場合があった。このとき、印刷は行なわれるがユーザの意図に反してレシートは発行されず、ユーザにとっては不満の残る結果となり、画像出力受付端末の利用に関する満足度を下げる要因となっていた。
【０００７】
本発明は、前述した問題点に鑑みてなされたもので、利用者の満足度を高めることが可能な画像出力受付端末等を提供することを目的とする。
【課題を解決するための手段】
【０００８】
前述した目的を達するための第１の発明は、表示部と、画像データを記憶する記憶部とを有する、画像データの印刷の注文を受け付ける画像出力受付端末であって、前記表示部に、課金画面として前記画像データの印刷の注文に係るレシートを発行するか否かを選択可能に表示するとともに、所定の条件で印刷処理の実行を指示する課金手段を具備し、前記課金手段は、前記レシートを発行するか否かの選択がされず、かつ前記所定の条件となった場合に、前記表示部の大部分の領域に、レシート発行確認画面として、前記レシートを発行するか否かを選択可能に表示するとともに、前記レシートを発行するか否かが選択された上での印刷処理の実行を選択可能に表示し、前記課金画面には、前記レシートを発行することを選択するための第１の領域と、前記レシートを発行しないことを選択するための第２の領域と、その他の領域とが表示され、前記第１の領域のサイズと前記第２の領域のサイズは、前記その他の領域のサイズと同程度か小さく、前記レシート発行確認画面には、前記レシートを発行することを選択するための第１の領域と、前記レシートを発行しないことを選択するための第２の領域と、印刷処理への移行を選択するための領域が表示され、前記第１の領域のサイズは当該レシート発行確認画面を２分した際の一方側の大部分の領域と同程度であり、前記第２の領域のサイズは前記２分した際の他方側の大部分の領域と同程度であり、前記所定の条件は、前記画像データの印刷の注文に係る合計料金の画像出力受付端末への入金であることを特徴とする画像出力受付端末である。
【０００９】
前記課金画面において、前記レシートの発行の選択に応じて、前記第１の領域もしくは前記第２の領域が強調表示される。
【００１０】
また、前記レシート発行確認画面において、前記レシートの発行の選択に応じて、前記第１の領域もしくは前記第２の領域が強調表示される。
【００１２】
前述した目的を達するための第２の発明は、表示部と、画像データを記憶する記憶部とを有する、画像データの印刷の注文を受け付ける画像出力受付端末における画像出力受付方法であって、前記表示部に、課金画面として前記画像データの印刷の注文に係るレシートを発行するか否かを選択可能に表示するとともに、所定の条件で印刷処理の実行を指示する課金ステップを含み、前記課金ステップでは、前記レシートを発行するか否かの選択がされず、かつ前記所定の条件となった場合に、前記表示部の大部分の領域に、レシート発行確認画面として、前記レシートを発行するか否かを選択可能に表示するとともに、前記レシートを発行するか否かが選択された上での印刷処理の実行を選択可能に表示し、前記課金画面には、前記レシートを発行することを選択するための第１の領域と、前記レシートを発行しないことを選択するための第２の領域と、その他の領域とが表示され、前記第１の領域のサイズと前記第２の領域のサイズは、前記その他の領域のサイズと同程度か小さく、前記レシート発行確認画面には、前記レシートを発行することを選択するための第１の領域と、前記レシートを発行しないことを選択するための第２の領域と、印刷処理への移行を選択するための領域が表示され、前記第１の領域のサイズは当該レシート発行確認画面を２分した際の一方側の大部分の領域と同程度であり、前記第２の領域のサイズは前記２分した際の他方側の大部分の領域と同程度であり、前記所定の条件は、前記画像データの印刷の注文に係る合計料金の画像出力受付端末への入金であることを特徴とする画像出力受付方法である。
【００１３】
前述した目的を達するための第３の発明は、コンピュータを第１の発明の画像出力受付欄末として機能させるためのプログラムである。
【００１４】
前述した目的を達するための第４の発明は、コンピュータを第１の発明の画像出力受付欄末として機能させるためのプログラムを記憶した記憶媒体である。
【００１５】
上記構成により、利用者に対し明確なレシート発行の選択の確認を促すことが可能になる。従って、例えば従来のようにユーザがレシート発行ボタンを選択していないのにも係らず、ユーザがレシート発行ボタンを選択したと勘違いし、印刷は行なわれるがユーザの意図に反してレシートは発行されないなどといったことがなく、ユーザの満足度を高めることができる。
【発明の効果】
【００１６】
本発明により、利用者にとっての満足度を高めることが可能な画像出力受付端末等を提供することができる。
【図面の簡単な説明】
【００１７】
【図１】画像出力受付端末１の外観斜視図
【図２】画像出力受付端末１のハードウエアの構成を示す図
【図３】画像出力受付端末１のシステム構成を示す図
【図４】画像出力受付端末１の処理の概略を示すフローチャート
【図５】画像出力受付端末１の課金処理の流れを示すフローチャート
【図６】課金画面６００の例を示す図
【図７】レシート発行確認画面７００の例を示す図
【図８】レシート発行情報２２の例を示す図
【図９】画像出力受付端末１ａの概略斜視図
【図１０】画像出力受付端末１ａのハードウエアの構成を示す図
【図１１】プリンタサーバ３のハードウエア構成を示す図
【図１２】画像プリントシステム１００のシステム構成を示す図
【図１３】課金画面１０００を示す図
【発明を実施するための形態】
【００１８】
以下、図面に基づいて、本発明の実施形態を詳細に説明する。図１は、本発明の実施の形態に係る画像出力受付端末１の外観斜視図である。
【００１９】
画像出力受付端末１は、店頭において、入力メディア（記憶媒体）や携帯端末に記憶されている画像データの印刷を受け付け、印刷を行う端末である。画像出力受付端末１は、予め画像データが記憶された入力メディアや携帯端末（いずれも不図示）から画像データを取得し、内部に保持する。
【００２０】
入力メディアは、例えば、DVD-ROM／CD-ROM／CD-R／CD-RW、コンパクトフラッシュ（登録商標）、SD（Secure Digital）カード、ミニSDカード、マイクロSDカード、xD−ピクチャーカード、Smart
Media（登録商標）、MEMORY STICK（登録商標）、USB（Universal Serial Bus）メモリ等である。
【００２１】
携帯端末は、例えば、スマートフォン、iPhone（登録商標）、カメラ付き携帯電話機、ipad（登録商標）、携帯型パーソナルコンピュータ等である。
【００２２】
画像出力受付端末１の上部正面には、タッチパネル付ディスプレイ１１が配置されている。タッチパネル付ディスプレイ１１は、操作の案内、操作の状況、読み込んだ画像データ等を表示するとともに、利用者からの指示操作を受け付ける。利用者は、タッチパネル付ディスプレイ１１を介して、プリントを行なう画像データの注文枚数や画像データの選択、画像データの画像調整、画像編集の指示等を行う。
【００２３】
タッチパネル付ディスプレイ１１の下部には、メディア投入口１２および通信口１３が設けられている。メディア投入口１２は、各メディアの挿入口であり、複数の挿入口が１箇所にまとめて配置されている。通信口１３は、各携帯端末と通信を行うための通信ポートであり、複数の通信ポート（赤外線ポートやUSB（Universal Serial Bus）ポートなど）が１箇所にまとめて配置されている。
【００２４】
画像出力受付端末１の下段部の前面板１４には、レシート取出口１５、硬貨投入口１６および紙幣挿入口１７のような料金投入口、つり銭返却口１８、プリント物取出口１９、ドア開閉キー２０、メンテナンスキー２１等が設けられている。
【００２５】
レシート取出口１５、硬貨投入口１６、紙幣挿入口１７、つり銭返却口１８等は、利用者によるプリント物の注文内容に応じた入金を要求、処理する課金手段として機能する。利用者は、硬貨投入口１６に硬貨を投入したり、紙幣挿入口１７に紙幣を挿入したりすることにより、プリント物の料金を支払う。つり銭がある場合には、つり銭返却口１８から放出される。また、料金徴収後、徴収金額や注文内容等が印刷されたレシートがレシート取出口１５から放出される。
【００２６】
プリント物取出口１９には、画像出力受付端末１の筐体内に設置される１または複数のプリンタにより印刷されたプリント物が排出される。ドア開閉キー２０は、画像出力受付端末１の前面板１４を開閉するためのキーである。メンテナンスキー２１は、利用者が画像出力受付端末１を利用可能な運転モードと、管理者が画像出力受付端末１のメンテナンスや設定、レシートの再印刷等を行う管理モードを切り替えるためのキーである。
【００２７】
次に、画像出力受付端末１の基本的動作について説明する。
画像出力受付端末１は、入力メディアや携帯端末から読み込んだ画像データを液晶ディスプレイ等のタッチパネル付ディスプレイ１１に表示する。利用者は、タッチパネル付ディスプレイ１１に設けられたタッチパネルにより、入力メディアや携帯端末等から読み込んだ画像の中から印刷注文する画像を選択し、印刷の実行を指示すると、画像出力受付端末１内のコンピュータが筐体内部のプリンタに画像データを転送する。
【００２８】
画像出力受付端末１は、プリント物の印刷注文に応じた料金を算出、表示し、利用者に支払いを要求する。画像出力受付端末１は、利用者の入金が完了すると、画像データの印刷を開始する。印刷されたプリント物は、プリント物取出口１９から排出され、利用者に提供される。
【００２９】
図２は、画像出力受付端末１のハードウエアの構成例を示すブロック図である。
画像出力受付端末１は、コンピュータ３０、各種メディア読取部４１、通信部４２、シャッタ４３、モニタ（タッチパネル付）４４、コインメック４５、ビルバリ４６、レシートジャーナル処理部（レシートプリンタ）４７、プリンタ４８等を備える。
【００３０】
コンピュータ３０は、制御部３１、記憶部３２、入出力部３３、通信部３４等から構成され、各種メディア読取部４１、通信部４２、シャッタ４３、モニタ４４、コインメック４５、ビルバリ４６、レシートジャーナル処理部４７、およびプリンタ４８等を制御する。
【００３１】
制御部３１は、プログラムの実行を行うCPU（Central processing Unit）と、プログラム命令あるいはデータ等を格納するためのRAM（Random Access Memory）、ROM（Read Only Memory）等で構成される。制御部３１は、記憶部３２等に格納されたプログラムに従って、バス３５を介して接続された各装置を制御する。プログラムのコードは、制御部３１により必要に応じて読み出され、RAMに移され、CPUに読み出されて各種機能として実行される。
【００３２】
記憶部３２には、制御部３１が実行するプログラム、プログラム実行に必要なデータ、OS（Operating System）等が格納される。プログラムは、例えば、画像入力プログラム、画像編集プログラム、印刷実行プログラム、シャッタ開閉制御プログラム、課金処理プログラム、レシート印刷処理プログラム、保守プログラム等である。データは、例えば、画像データ等である。
【００３３】
入出力部３３は、記憶部３２に格納されているプログラム等の更新や、画像出力受付端末１の設定等を行うメンテナンス時に用いられる。
【００３４】
通信部３４は、通信制御装置、通信ポート等を有し、画像出力受付端末１と図示せぬネットワーク間の通信を媒介する通信インタフェースである。通信部３４は、ネットワークを介して画像出力受付端末１と他の外部装置との通信制御を行う。
【００３５】
各種メディア読取部４１は、メディア投入口１２の各メディアの挿入口に対応して画像出力受付端末１内部に設けられ、挿入された入力メディアに予め記憶されている画像データを読み込む。通信部４２は、通信口１３の各通信ポートに対応して設置されており、通信中の携帯端末に予め記憶されている画像データを読み込む。
【００３６】
シャッタ４３は、メディア投入口１２の各挿入口に設けられ、入力メディアの挿入口を開閉し、読取処理の最中や、課金処理が完了するまで、入力メディアを取り出せないようにする。モニタ４４は、タッチパネル付ディスプレイ１１である。
【００３７】
コインメック４５、ビルバリ４６、レシートジャーナル処理部４７は、課金手段の一部である。コインメック４５は、硬貨投入口１６に対応して画像出力受付端末１内部に設けられ、硬貨の入出力を管理する。ビルバリ４６は、紙幣挿入口１７に対応して画像出力受付端末１内部に設けられ、紙幣の入出力を管理する。レシートジャーナル処理部４７は、レシート取出口１５に対応して画像出力受付端末１内部に設けられ、利用者の徴収金額や注文内容に応じたレシートを印刷する。
【００３８】
プリンタ４８は、プリント物取出口１９に対応して画像出力受付端末１内部に設けられ、画像データを印刷しプリント物として出力する。プリンタ４８は、画像データを印刷する高解像度カラープリンタであり、熱転写プリンタあるいはインクジェット型などのプリンタの方式、および設置台数等は特に問わない。
【００３９】
図３は、画像出力受付端末１のシステム構成図である。
画像出力受付端末１は、画像データ読込手段１０１、印刷手段１０２、課金手段１０３等を備える。
【００４０】
画像データ読込手段１０１は、予め画像データが記録された入力メディア１２１や携帯端末１２２から画像データ２１を取得し記憶部３２に保持する。その他、例えばネットワークを介してオンラインにて画像データを入力する手段を備えるようにしてもよい。
【００４１】
印刷手段１０２は、ユーザにより印刷を選択された画像データ２１をその注文枚数分印刷する高解像度カラープリンタであり、プリント物１２３を印刷出力する。画像出力受付端末１は、印刷時間の短縮を図るため、複数台のプリンタを備えるようにしてもよい。
【００４２】
課金手段１０３は、利用者によるプリント物１２３の印刷注文に応じた料金を算出して、課金画面を表示し、利用者に入金を促すとともに現金による課金処理を行い、レシート１２４を発行し、つり銭１２５を利用者に返す。
【００４３】
記憶部３２には、画像データ２１等が記憶される。
画像データ２１は、利用者によって読み込まれた、あるいはこれを画像編集等したデータである。各画像データ２１は注文枚数と対応して記憶される。
【００４４】
次に、図４のフローチャートを参照して、画像出力受付端末１の処理の概略について説明する。図４は、画像出力受付端末１の処理の概略を示すフローチャートである。
【００４５】
画像出力受付端末１の制御部３１は、モニタ４４上にサービス内容、手順、案内等を示すメニュー画面（不図示）を表示し（ステップＳ５０１）、利用者にサービスの手順や内容等を選択させる。例えば、利用者は、各種の入力メディア１２１あるいは携帯端末１２２による入力方法や、支払い方法等を選択する。選択された情報は、記憶部３２等に記憶される。
【００４６】
利用者が入力メディア１２１をメディア投入口１２に挿入あるいは携帯端末１２２を通信口１３に挿入すると、画像出力受付端末１の制御部３１は、各種メディア読取部４１の入力メディア１２１に適合するメディア読取部あるいは通信部４２を起動し、挿入された入力メディア１２１あるいは携帯端末１２２に記憶された画像データを読み込み、記憶部３２に格納する（ステップＳ５０２）。
【００４７】
画像出力受付端末１の制御部３１は、記憶部３２に格納された画像データ２１のサムネイル画像の一覧画面（不図示）や、利用者の選択に応じて画像編集画面（不図示）を表示し、これらの画面上で利用者に画像データ２１の編集や注文枚数の決定、注文の実行等を促し、利用者の選択により、印刷注文内容に基づく印刷注文処理を行なう（ステップＳ５０３）。
【００４８】
画像出力受付端末１の制御部３１は、利用者により印刷注文が選択されると、課金手段１０３により課金処理を実行する（ステップＳ５０４）。
【００４９】
ステップＳ５０４における処理について、図５から図７を用いて説明する。図５は、ステップＳ５０４における課金処理の流れを示すフローチャートである。図６は画像出力受付端末１のモニタ４４に表示される課金画面６００について示す図、図７は画像出力受付端末１のモニタ４４に表示されるレシート発行確認画面７００について示す図である。
【００５０】
図５に示すように、ステップＳ５０４の課金処理においては、まず、画像出力受付端末１の制御部３１が、印刷注文に対する代金の合計金額を算出し、課金画面６００をモニタ４４（タッチパネル付ディスプレイ１１）に表示する（ステップＳ６０１）。
【００５１】
図６に課金画面６００の一例を示す。課金画面６００には、合計金額を表示する合計金額表示部６０１、投入金額と、投入金額が合計金額を超えた場合には投入金額と合計金額の差額（おつり）を表示する投入金額表示部６０２、レシートの発行を指示するための「レシート発行する」ボタン６０３、レシートの発行を行なわないことを指示するための「レシート発行しない」ボタン６０４、「レシート発行する」ボタン６０３や「レシート発行しない」ボタン６０４の領域に表示され、「レシート発行する」ボタン６０３または「レシート発行しない」ボタン６０４が選択されている場合にこれを強調表示するマーク６０５、料金の投入箇所を表示する投入箇所表示部６０６などが配置、表示される。
【００５２】
制御部３１は、モニタ４４の各領域への利用者の接触を検出し、接触を検出した各領域に対応する処理を行う。
【００５３】
利用者は、「レシート発行する」ボタン６０３に触れることにより、レシートの発行を選択することができる。制御部３１は、利用者により「レシート発行する」ボタン６０３が選択されたことを検出すると（ステップＳ６０２のＹＥＳ）、「レシート発行する」ボタン６０３にマーク６０５の表示を行い（ステップＳ６０３）、レシートの発行が選択されていることを容易に認識可能とし、次の処理を待つ。なお、強調表示の方法はこれに限ることはなく、枠などを付す表示を行うものであってもよいし、色等各ボタンの表示態様を変えるものであってもよい。
【００５４】
また、利用者は、「レシート発行しない」ボタン６０４に触れることにより、レシートを発行しないことを選択できる。制御部３１は、利用者により「レシート発行しない」ボタン６０４が選択されたことを検出すると（ステップＳ６０４のＹＥＳ）、「レシート発行しない」ボタン６０４にマーク６０５の表示を行い（ステップＳ６０５）、レシートを発行しないことが選択されていることを容易に認識可能とし、次の処理を待つ。
【００５５】
上記の過程では、図８に示すような、レシート発行の選択についてのレシート発行情報２２が制御部３１のＲＡＭ等に記憶される。レシート発行情報２２には、レシートの発行の選択を示す情報が書き込まれる。
【００５６】
図８（ａ）は、「レシート発行する」ボタン６０３、「レシート発行しない」ボタン６０４のいずれもが選択されていない状態を示し、この場合、課金画面６００の「レシート発行する」ボタン６０３、「レシート発行しない」ボタン６０４のいずれにもマーク６０５が表示されない。
【００５７】
図８（ｂ）は、「レシート発行する」ボタン６０３が選択されている状態を示し、この場合、課金画面６００の「レシート発行する」ボタン６０３にマーク６０５が表示される。
【００５８】
図８（ｃ）は、「レシート発行しない」ボタン６０４が選択されている状態を示し、この場合、課金画面６００の「レシート発行しない」ボタン６０４にマーク６０５が表示される。
【００５９】
なお、「レシート発行する」ボタン６０３が選択されている状態で、「レシート発行しない」ボタン６０４が新たに選択された（ステップＳ６０４のＹＥＳ）場合には、レシート発行情報２２は図８（ｂ）に示す状態から図８（ｃ）に示す状態となる。その逆も同様である。即ち、「レシート発行する」ボタン６０３と「レシート発行しない」ボタン６０４が同時に選択されることはなく、課金画面６００で「レシート発行する」ボタン６０３と「レシート発行しない」ボタン６０４の両者にマーク６０５が表示されることもない。
【００６０】
図５の課金処理の説明に戻る。画像出力受付端末１は、課金画面６００を表示することにより、レシートの発行の選択とともに、利用者による入金を促している。画像出力受付端末１の制御部３１は、利用者の入金を待ち（ステップＳ６０６のＮＯ）、コインメック４５、ビルバリ４６等により利用者により合計金額分の入金が行なわれたことを検出する（ステップＳ６０６のＹＥＳ）と、レシート発行情報２２を参照することによりレシート発行の選択を判定し（ステップＳ６０７）、「レシート発行する」、「レシート発行しない」のいずれかが選択されている場合には、図４に示すステップＳ５０５の印刷処理へ移行する。
【００６１】
一方、ステップＳ６０７において、「レシート発行する」、「レシート発行しない」のいずれも選択されていない、即ち、利用者によるレシート発行の要否が選択されていない場合、画像出力受付端末１の制御部３１は図７に示すレシート発行確認画面７００をモニタ４４に表示する（ステップＳ６０８）。なお、図７では課金画面６００に重畳してレシート発行確認画面７００が表示されているが、課金画面６００からレシート発行確認画面７００にモニタ４４の表示を移行させてもよい。
【００６２】
図７に示すように、レシート発行確認画面７００には、課金画面６００と同様、レシートの発行を指示するための「レシート発行する」ボタン７０１、レシートの発行を行なわないことを指示するための「レシート発行しない」ボタン７０２、「レシート発行する」ボタン７０１や「レシート発行しない」ボタン７０２の領域に表示され、「レシート発行する」ボタン７０１または「レシート発行しない」ボタン７０２が選択されている場合にこれを表示するマーク７０３が配置、表示されるとともに、印刷処理への移行を選択するための「次へ」ボタン７０４が表示される。
【００６３】
なお、本実施形態では、ステップＳ６０８の時点で、初期のレシート発行情報２２は図８（ｂ）に示すように「レシート発行する」が選択されているものとなっており、レシート発行確認画面７００では、初期選択として図７に示すように、「レシート発行する」ボタン７０１が選択され、マーク７０３の表示が行なわれているものとする。
【００６４】
制御部３１は、モニタ４４の各領域への利用者の接触を検出し、接触を検出した各領域に対応する領域に対応する処理を行う。
【００６５】
利用者は、「レシート発行する」ボタン７０１もしくは「レシート発行しない」ボタン７０２のうち、現在選択されていないものに触れることにより、レシートの発行の選択を変更することができる。制御部３１は、利用者が、「レシート発行する」ボタン７０１もしくは「レシート発行しない」ボタン７０２のうち、現在選択されているボタンと異なるボタンが選択されたことを検出すると（ステップＳ６０９のＹＥＳ）、レシート発行の選択を変更し、変更先のボタンへとマーク７０３の表示の変更を行ない（ステップＳ６１０）、レシート発行の要否の選択を容易に認識可能とするとともに、次の処理を待つ。この際のレシート発行情報２２の推移は、図８等を用いて説明したものと同様であるので、説明を省略する。
【００６６】
利用者は、「次へ」ボタン７０４を選択することにより、レシート発行の要否についての選択が行われている上で印刷処理に移行することができる。画像出力受付端末１の制御部３１は、利用者により「次へ」ボタン７０４が選択されたことを検出すると（ステップＳ６１１のＹＥＳ）と、図４に示すステップＳ５０５の印刷処理へ移行する。
【００６７】
画像出力受付端末１の制御部３１は、利用者により、課金画面６００で「レシート発行する」ボタン６０３、「レシート発行しない」ボタン６０４のいずれかが選択された上での入金が行なわれるか、レシート発行確認画面７００で「レシート発行する」ボタン７０１や「レシート発行しない」ボタン７０２のいずれかが選択されている上での「次へ」ボタン７０４の選択がなされると、注文内容に応じた画像データ２１の印刷をプリンタ４８により実行するとともに、課金画面６００あるいはレシート発行確認画面７００で選択されたレシート発行の要否に応じて、合計金額、注文内容などを印刷したレシート１２４をレシートジャーナル処理部（レシートプリンタ）４７で印刷する。プリント物１２３はプリント物取出口１９に排出され、レシート１２４はレシート取出口１５から放出される。
【００６８】
以上説明したように、本実施形態の処理の流れでは、利用者に対し明確なレシート発行の選択の確認を促している。従って、例えば従来のようにユーザがレシート発行ボタンを選択していないのにも係らず、ユーザがレシート発行ボタンを選択したと勘違いし、印刷は行なわれるがユーザの意図に反してレシートは発行されないなどといったことがなく、ユーザの満足度を高めることができる。
【００６９】
なお、本実施形態では、レシート発行確認画面７００の初期表示時、「レシート発行する」ボタン７０１が選択されているものとしたが、「レシート発行しない」ボタン７０２が選択されていてもよい。また、課金画面６００と同様、初期には「レシート発行する」ボタン７０１や「レシート発行しない」ボタン７０２のいずれもが選択されていないものとしてもよい。この場合では、いずれかのボタンが選択されて初めて「次へ」ボタン７０４が選択可能に表示されるようにするなどして、ユーザによるレシート発行の選択、確認を促すようにすることができる。
【００７０】
なお、画像出力受付端末は、プリンタを内蔵するものに限らず、ネットワークを介してプリンタサーバと接続し、例えば店頭において注文受付のみを行なうものでもよい。その例が図９〜図１２に示す画像プリントシステム１００の画像出力受付端末１ａである。なお、図１〜３等で説明したものと同様の機能を有する要素については、同じ番号を付し、説明を省略する。
【００７１】
図９は、画像出力受付端末１ａの外観斜視図である。
図９に示すように、画像出力受付端末１ａの上部正面に、タッチパネル付ディスプレイ１１が配置されている。タッチパネル付ディスプレイ１１の下部には、メディア投入口１２、通信口１３、レシート取出口１５が設けられる。
【００７２】
図１０は、画像出力受付端末１ａのハードウエアの構成例を示すブロック図である。
画像出力受付端末１ａは、コンピュータ３０、各種メディア読取部４１、通信部４２、シャッタ４３、モニタ（タッチパネル付）４４、レシートジャーナル処理部（レシートプリンタ）４７等を備える。
【００７３】
コンピュータ３０は、制御部３１、記憶部３２、入出力部３３、通信部３４等から構成され、各種メディア読取部４１、通信部４２、シャッタ４３、モニタ４４、レシートジャーナル処理部４７を制御する。
【００７４】
ここで、通信部３４は、通信制御装置、通信ポート等を有し、画像出力受付端末１ａとネットワーク９間の通信を媒介する通信インタフェースである。通信部３４は、ネットワーク９を介して、画像出力受付端末１ａとプリンタサーバ３間の通信制御を行う。
【００７５】
また、レシートジャーナル処理部４７で印刷されるレシートは、必要に応じてプリント物を受け取るための引換券として用いることができる。
【００７６】
図１１は、プリンタサーバ３のハードウエアの構成例を示すブロック図である。
プリンタサーバ３は、制御部５１、記憶部５２、メディア入出力部（ドライブ装置）５３、通信制御部（通信制御装置、通信ポート等）５４、入力部（キーボード、ポインティングデバイス等）５５、表示部５６、通信用Ｉ／Ｆ部５７等がバス５９で接続されて構成される。
【００７７】
制御部５１は、ＣＰＵ、ＲＯＭ、ＲＡＭ等で構成され、記憶部５２に格納されたプログラムに従って、各装置を駆動制御する。
記憶部５２は、ＨＤＤ（ハードディスクドライブ）であり、制御部５１が実行するプログラム、プログラム実行に必要なデータ、ＯＳ等が格納される。プログラムに関しては、ＯＳに相当する制御プログラムや、後述する印刷データ受信手段１３１、印刷制御手段１３２を実現するためのプログラム等が格納されている。
【００７８】
メディア入出力部５３は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
通信制御部５４は、通信制御装置、通信ポート等を有し、ネットワーク９による通信を媒介する通信インタフェースであり、ネットワーク９を介して、プリンタサーバ３と、画像出力受付端末１ａ間の通信制御を行う。
【００７９】
入力部５５は、データの入力を行い、例えば、タッチパネル、キーボード、マウス等のポインティングデバイス等の入力装置を有し、操作指示、動作指示、データ入力等を行うことができる。
【００８０】
表示部５６は、液晶パネル等のディスプレイ装置等を有する。
通信用Ｉ／Ｆ部５７は、プリンタサーバ３とプリンタ５間の通信を行うためのインタフェースである。
バス５９は、各装置間の制御信号、データ信号等の授受を媒介する経路である。
【００８１】
プリンタ５は、画像データ２１の印刷出力処理を行う。プリンタ５は複数台のプリンタであってもよく、この場合印刷時間の短縮を図ることができる。
【００８２】
図１２は、画像出力受付端末１ａおよびプリンタサーバ３等からなる画像プリントシステム１００のシステム構成図である。
【００８３】
図１２に示すように、画像プリントシステム１００は、１または複数の画像出力受付端末１ａ、プリンタサーバ３、１または複数のプリンタ５が、ネットワーク９等を介して接続されて構成される。
【００８４】
ネットワーク９は、インターネット、ローカルエリアネットワーク（ＬＡＮ）等のネットワークであり、有線、無線を問わない。
【００８５】
画像出力受付端末１ａは、画像データ読込手段１０１、課金手段１０３等のほか、印刷データ送信手段１３０を備える。
【００８６】
印刷データ送信手段１３０は、記憶部３２に記憶されている画像データ２１のうち印刷注文が行なわれたものをネットワーク９を介してプリンタサーバ３に送信する。
【００８７】
また、利用者は、必要に応じて課金手段１０３が発行するレシート１２４を提示し、印刷料金の支払いを行い、プリント物を受け取る。なお、課金手段１０３は、画像出力受付端末１と同様、課金機を装備し、利用者に入金を要求して現金による課金処理を行うようにしてもよい。
【００８８】
プリンタサーバ３は、印刷データ受信手段１３１、印刷制御手段１３２等を有する。
印刷データ受信手段１３１は、画像出力受付端末１ａから印刷する画像データ２１を受信し、記憶部５２に格納する。
印刷制御手段１３２は、印刷する画像データ２１をプリンタ５に転送する。
【００８９】
プリンタ５は、画像データを印刷する高解像度カラープリンタであり、画像データ２１を印刷し、プリント物１２３を出力する。熱転写プリンタあるいはインクジェット型など、プリンタの方式は問わない。また、プリンタ５の台数も複数としてよい。
【００９０】
画像プリントシステム１００に係る処理では、画像出力受付端末１ａでは注文受付のみを行い、画像データ２１の印刷は、別に設けたプリンタ５で行なう。ユーザは料金を支払いプリント物を受け取る。
【００９１】
このため、図４における課金処理（ステップＳ５０４）では、入金を行なわない。従って、モニタ４４の課金画面６００で投入金額表示部６０２や投入箇所表示部６０６、入金に係るガイダンス等が省略され、代わりに印刷実行を選択するための印刷実行ボタン（不図示）を表示することができる。そして、ステップＳ６０６では、画像出力受付端末１ａの制御部３１は、合計金額分の入金の代わりに、印刷実行ボタンが選択されたことを検出して印刷処理への移行を行い、ステップＳ６０７以降の処理を進めることができる。画像出力受付端末１ａは、必要に応じてレシート１２４の排出のみ行なう。
【００９２】
また、図４における印刷処理（ステップＳ５０５）では、印刷データ送信手段１３０により印刷注文された画像データ２１がプリンタサーバ３に送信され、別に設けたプリンタ５により、画像データ２１の印刷が行なわれる。
【００９３】
但し、それ以外の画像出力受付端末１ａにおける処理については、図４、５を用いて説明したものと同様である。
【００９４】
従って、本実施形態の画像出力受付端末１ａでも、先に説明した画像出力受付端末１と同様の効果が得られる。
【００９５】
以上、添付図面を参照しながら、本発明に係る画像出力受付端末等の好適な実施形態について説明したが、本発明は係る例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００９６】
１、１ａ………画像出力受付端末
２１………画像データ
２２………レシート発行情報
１０２………印刷手段
１０３………課金手段
６００、１０００………課金画面
７００………レシート発行確認画面
【図１】
0005803109.tif 000002
【図２】
0005803109.tif 000003
【図３】
0005803109.tif 000004
【図４】
0005803109.tif 000005
【図５】
0005803109.tif 000006
【図６】
0005803109.tif 000007
【図７】
0005803109.tif 000008
【図８】
0005803109.tif 000009
【図９】
0005803109.tif 000010
【図１０】
0005803109.tif 000011
【図１１】
0005803109.tif 000012
【図１２】
0005803109.tif 000013
【図１３】
0005803109.tif 000014